(57)【要約】  光の光軸方向に見て第１直径を有する第１円形部と、前記光軸方向に見て前記第１直径よりも大きい第２直径を有する第２円形部とが、前記光軸方向に並んだレンズと、前記光軸方向に見て環状に形成され、内周面が前記第１円形部の外周面と接触するシール材と、前記光軸方向に見て円形とされ前記第１円形部と共に前記シール材を挟む第１内壁部と、前記第２円形部の外周面と接触する接触部が前記レンズの周方向に間隔をあけて３箇所以上形成された第２内壁部と、を備えた鏡筒と、を有するレンズユニットを提供する。
2017169644.tif 000002
【特許請求の範囲】
【請求項１】
光の光軸方向に見て第１直径を有する第１円形部と、前記光軸方向に見て前記第１直径よりも大きい第２直径を有する第２円形部とが、前記光軸方向に並んだレンズと、
前記光軸方向に見て環状に形成され、内周面が前記第１円形部の外周面と接触するシール材と、
前記光軸方向に見て円形とされ前記第１円形部と共に前記シール材を挟む第１内壁部と、前記第２円形部の外周面と接触する接触部が前記レンズの周方向に間隔をあけて３箇所以上形成された第２内壁部と、を備えた鏡筒と、
を有するレンズユニット。
【請求項２】
前記第２内壁部は、前記光軸方向に見て多角形状に形成され、
前記接触部が前記多角形状の辺となる平面である請求項１に記載のレンズユニット。
【請求項３】
前記第２内壁部には、周方向に隣り合う前記平面を繋ぐ曲面が形成されている請求項２に記載のレンズユニット。
【請求項４】
前記接触部には、前記光軸方向に見て前記鏡筒の径方向外側に窪み前記第２円形部と線接触する曲面が形成されている請求項１に記載のレンズユニット。
【請求項５】
前記光軸方向において前記第２円形部が前記第１円形部よりも物体側に配置されている請求項１から４のいずれか１項に記載のレンズユニット。
【請求項６】
前記光軸方向における前記第２内壁部に対する物体側には、物体側が像面側よりも光軸から遠くなる傾斜とされた傾斜面が形成されている請求項５に記載のレンズユニット。
【請求項７】
前記第１内壁部は、前記光軸方向に見て前記第２内壁部よりも光軸側に張り出されている請求項１から請求項６のいずれか１項に記載のレンズユニット。
【請求項８】
前記第１内壁部には、前記シール材が接触しない部位でかつ前記レンズが嵌合する部位が形成され、
前記レンズには、前記第１内壁部と嵌合する第３円形部が形成されている請求項１から請求項７のいずれか１項に記載のレンズユニット。
【請求項９】
前記第３円形部は、前記光軸方向における前記第１円形部と前記第２円形部との間に配置されている請求項８に記載のレンズユニット。
【請求項１０】
前記光軸方向において前記第１円形部が前記第２円形部よりも物体側に配置されている請求項１から請求項４のいずれか１項に記載のレンズユニット。
【請求項１１】
前記レンズには、前記第１内壁部と嵌合する第３円形部が形成されている請求項１０に記載のレンズユニット。
【請求項１２】
前記第３円形部は、前記光軸方向における前記第１円形部と前記第２円形部との間に配置されている請求項１１に記載のレンズユニット。
【請求項１３】
請求項１から請求項１２のいずれか１項に記載のレンズユニットであって、車載用又は監視用のレンズユニット。
【発明の詳細な説明】
【技術分野】
【０００１】
本願は２０１６年３月２９日出願の日本出願第２０１６−０６５６５４号の優先権を主張すると共に、その全文を参照により本明細書に援用する。
本開示は、レンズユニットに関する。
【背景技術】
【０００２】
複数のレンズを１つの鏡筒に収容したレンズユニットの一例として、特許第４９９９５０８号公報に記載されたレンズユニットがある。【０００３】
特許第４９９９５０８号公報のレンズユニットは、鏡筒と複数のレンズで構成されたレンズ群とを有している。レンズ群のうち最も物体側に位置するレンズは、ガラス製であり、隣接するレンズに近い側の周縁に凹部が形成されている。凹部には、シール部材が設けられている。また、鏡筒内において、最も物体側に位置するレンズを受け入れる受け入れ部は、円形状の内周面で構成されている。
【発明の概要】
【発明が解決しようとする課題】
【０００４】
しかしながら、特許第４９９９５０８号公報のレンズユニットでは、大径のレンズの外周面と接触する鏡筒の内壁部が、光軸方向に見て円形となっている。光軸方向に見て円形のレンズと円形の内壁部とが接触する構成では、鏡筒にレンズを収容する場合にレンズの周方向全体に摩擦力が作用するため、レンズの光軸の傾きを補正し難く、レンズユニットの組立性が悪い。【０００５】
本開示は、上記事実を考慮して、鏡筒の第２内壁部が光軸方向に見て円形となっている構成に比べて、鏡筒内のシール性を確保してレンズユニットの組立性を向上させることができるレンズユニットを提供する。
【課題を解決するための手段】
【０００６】
本開示の第１態様に係るレンズユニットは、光の光軸方向に見て第１直径を有する第１円形部と、光軸方向に見て第１直径よりも大きい第２直径を有する第２円形部とが、光軸方向に並んだレンズと、光軸方向に見て環状に形成され、内周面が第１円形部の外周面と接触するシール材と、光軸方向に見て円形とされ第１円形部と共にシール材を挟む第１内壁部と、第２円形部の外周面と接触する接触部がレンズの周方向に間隔をあけて３箇所以上形成された第２内壁部と、を備えた鏡筒と、を有する。【０００７】
第１態様に係るレンズユニットでは、レンズの第１円形部と鏡筒の第１内壁部とでシール材が挟まれる。第１内壁部は光軸方向に見て円形であり、シール材が第１内壁部に接触した場合にシール材と第１内壁部との間に隙間が形成され難いので、鏡筒内のシール性を確保することができる。【０００８】
さらに、鏡筒の第２内壁部には、レンズの周方向に間隔をあけて３箇所以上の接触部が形成されているため、レンズの第２円形部と鏡筒の第２内壁部との接触状態は、レンズの周方向に間隔をあけた多点の嵌合状態となる。第２円形部と鏡筒の第２内壁部との嵌合状態が多点の嵌合状態となることで、第２円形部と接触部との接触面積が、第２円形部と第２内壁部の周方向全体とが接触した場合の接触面積よりも小さくなるので、鏡筒に第２円形部を収容し易くなる。つまり、鏡筒の第２内壁部が光軸方向に見て円形となっている構成に比べて、レンズユニットの組立性を向上させることができる。【０００９】
本開示の第２態様に係るレンズユニットの第２内壁部は、光軸方向に見て多角形状に形成され、接触部が多角形状の辺となる平面である。【００１０】
第２態様に係るレンズユニットでは、第２内壁部が光軸方向に見て多角形状となっているため、第２円形部と第２内壁部の接触部との接触が光軸方向に見て点接触となる。第２円形部と接触部との接触が点接触となることで、光軸方向に見て第２円形部と接触部が周方向に線接触する構成に比べて、第２円形部と接触部との接触面積が小さくなるので、第２円形部と接触部との摩擦力が小さくなる。つまり、レンズユニットの組立性を向上させることができる。【００１１】
本開示の第３態様に係るレンズユニットの第２内壁部には、周方向に隣り合う平面を繋ぐ曲面が形成されている。【００１２】
第３態様に係るレンズユニットでは、平面と平面が曲面で繋がっているため、第２内壁部においてレンズの周方向で隣り合う平面を直接繋ぐ構成に比べて、鏡筒の一部への応力集中を抑制することができる。【００１３】
本開示の第４態様に係るレンズユニットの接触部には、光軸方向に見て鏡筒の径方向外側に窪み第２円形部と線接触する曲面が形成されている。【００１４】
第４態様に係るレンズユニットでは、光軸方向に見て、接触部の曲面と第２円形部の側面とが線接触するので、接触部と第２円形部の側面とが点接触する構成に比べて、第２円形部が接触部から外れるのを抑制することができる。【００１５】
本開示の第５態様に係るレンズユニットは、光軸方向において第２円形部が第１円形部よりも物体側に配置されている。【００１６】
第５態様に係るレンズユニットでは、第２円形部が第１円形部よりも物体側に配置され、レンズと鏡筒とが多点で嵌合する第２内壁部が、第１内壁部よりも物体側に配置される。レンズと鏡筒とが多点で嵌合する第２内壁部が、第１内壁部よりも物体側に配置されることで、鏡筒にレンズを組み付けた場合に、第２内壁部とレンズとの嵌合状態を鏡筒の物体側から確認し易くなる。【００１７】
本開示の第６態様に係るレンズユニットの光軸方向における第２内壁部に対する物体側には、物体側が像面側よりも光軸から遠くなる傾斜とされた傾斜面が形成されている。【００１８】
第６態様に係るレンズユニットでは、光軸の位置が鏡筒の中心軸に対してずれた状態で鏡筒にレンズを挿入する場合に、レンズの第２円形部の外周が傾斜面に案内されることでレンズの光軸が鏡筒の中心軸に近づき、第２円形部が第２内壁部に嵌合する。つまり、レンズの第２円形部の外周が傾斜面に案内されるので、傾斜面が無い構成に比べて、鏡筒にレンズを嵌める作業を簡単に行うことができる。【００１９】
本開示の第７態様に係るレンズユニットの第１内壁部は、光軸方向に見て第２内壁部よりも光軸側に張り出されている。【００２０】
第７態様に係るレンズユニットでは、光軸方向に見て、第１内壁部の内径が第２内壁部の内接円の直径よりも小さくなる。言い換えると、第２内壁部の内側の空間が第１内壁部の内側の空間よりも広くなるので、レンズユニットを組み付ける場合に、第１内壁部と接触するシール材が第２内壁部に引っ掛かるのを抑制することができる。【００２１】
本開示の第８態様に係るレンズユニットの第１内壁部には、シール材が接触しない部位でかつレンズが嵌合する部位が形成され、レンズには、第１内壁部と嵌合する第３円形部が形成されている。【００２２】
第８態様に係るレンズユニットでは、第１内壁部とシール材との接触部位にさらに第１内壁部と第３円形部との嵌合部位が加わるので、第３円形部が無い構成に比べて、レンズの光軸の傾きを抑制することができる。【００２３】
本開示の第９態様に係るレンズユニットの第３円形部は、光軸方向における第１円形部と第２円形部との間に配置されている。【００２４】
第９態様に係るレンズユニットでは、第３円形部の光軸方向の端面と第１円形部の外周面とで段差が形成される。そして、鏡筒にレンズを組み付けた場合に、シール材が段差と接触して光軸方向に押されるので、鏡筒にレンズを嵌める場合にシール材が光軸方向にずれるのを抑制することができる。【００２５】
本開示の第１０態様に係るレンズユニットは、光軸方向において第１円形部が第２円形部よりも物体側に配置されている。【００２６】
第１０態様に係るレンズユニットでは、第１円形部が第２円形部よりも物体側に配置されることより、シール材が鏡筒内の最も物体側に配置されるので、シール材が第１円形部と第１内壁部との間に嵌まっているかどうかを簡単に確認できる。【００２７】
本開示の第１１態様に係るレンズユニットのレンズには、第１内壁部と嵌合する第３円形部が形成されている。【００２８】
第１１態様に係るレンズユニットでは、第１内壁部とシール材との接触部位にさらに第１内壁部と第３円形部との嵌合部位が加わるので、第３円形部が無い構成に比べて、レンズの光軸の傾きを抑制することができる。【００２９】
本開示の第１２態様に係るレンズユニットの第３円形部は、光軸方向における第１円形部と第２円形部との間に配置されている。【００３０】
第１２態様に係るレンズユニットでは、第３円形部が第１円形部よりも像面側に配置されるので、光軸方向に見て、第３円形部によってシール材が覆われない。第３円形部によってシール材が覆われないことにより、シール材を視認し易くなる。【００３１】
第１３態様に係るレンズユニットは、第１態様から第１２態様のいずれか１つに記載のレンズユニットであって、車載用又は監視用のレンズユニットである。【００３２】
第１３態様に係る車載用や監視用のレンズユニットでは、高温に晒される場合があるが、高温に晒された場合も、鏡筒の第２内壁部が光軸方向に見て円形となっている構成に比べて、レンズユニットの性能劣化を抑制することができる。
【発明の効果】
【００３３】
本開示によれば、鏡筒の第２内壁部が光軸方向に見て円形となっている構成に比べて、鏡筒内のシール性を確保してレンズユニットの組立性を向上させることができるレンズユニットを提供できる。
【図面の簡単な説明】
【００３４】
【図１】第１実施形態に係るレンズユニットの全体構成及び撮像モジュールを示す説明図である。
【図２】第１実施形態に係るレンズユニットの一部を示す縦断面図である。
【図３Ａ】第１実施形態に係る第２内壁部を示す横断面図（図２の３Ａ−３Ａ断面）である。
【図３Ｂ】第１実施形態に係る第１内壁部を示す横断面図（図２の３Ｂ−３Ｂ断面）である。
【図４Ａ】第２実施形態に係る第２内壁部を示す横断面図である。
【図４Ｂ】第２実施形態に係る第２内壁部の一部を拡大して示す横断面図である。
【図５】第３実施形態に係るレンズユニットの一部を示す縦断面図である。
【図６】第３実施形態に係るレンズユニットの一部を拡大して示す縦断面図である。
【図７】第３実施形態に係る第２内壁部を示す横断面図（図５の７−７断面）である。
【図８】第４実施形態に係るレンズユニットの一部を示す縦断面図である。
【図９】第４実施形態に係るレンズユニットの一部を拡大して示す縦断面図である。
【図１０】第５実施形態に係るレンズユニットの一部を示す縦断面図である。
【図１１】第６実施形態に係るレンズユニットの一部を示す縦断面図である。
【図１２】第７実施形態に係るレンズユニットの一部を示す縦断面図である。
【図１３】第８実施形態に係るレンズユニットの一部を示す縦断面図である。
【図１４】第９実施形態に係るレンズユニットの一部を示す縦断面図である。
【図１５Ａ】第１変形例の第２内壁部を示す説明図である。
【図１５Ｂ】第２変形例の第２内壁部を示す説明図である。
【図１５Ｃ】第３変形例の第２内壁部を示す説明図である。
【発明を実施するための形態】
【００３５】
以下、本開示に係るレンズユニットの実施形態の一例について説明する。なお、本実施形態におけるレンズユニットは、監視用カメラや車載用カメラなどの高温に晒される可能性があり結像性能の維持が難しい環境下で用いられるものであり、性能劣化を少なくできるレンズユニットに関するものである。監視用のレンズユニットとは、建物などに設けられ、周囲の物体などを見るためのレンズユニットである。車載用のレンズユニットとは、車両（主に車室内）に設けられて車両の外部の物体などを見るためのレンズユニットである。
【００３６】
[第１実施形態]
図１には、撮像装置１０が示されている。撮像装置１０は、一例として、車載カメラに用いられる装置である。また、撮像装置１０は、撮像モジュール２０と、レンズユニット３０とを有している。さらに、撮像装置１０は、物体１２の像をレンズユニット３０を介して撮像モジュール２０に結像する。
【００３７】
なお、以後の説明では、レンズユニット３０における光の光軸方向でありかつ後述する鏡筒４４の中心軸方向をＺ方向と称する。さらに、レンズユニット３０の後述するレンズ群３２の径方向でありＺ方向に直交する直交方向のうち、一方向をＹ方向と称し、Ｚ方向及びＹ方向に直交する方向をＸ方向と称する。また、レンズユニット３０に物体側から入射する光の光軸をＫと称し、一点鎖線又は点で図示する。
【００３８】
〔撮像モジュール〕
撮像モジュール２０は、ＣＭＯＳ（Complementary Metal Oxide Semiconductor）イメージセンサやＣＣＤ（Charge Coupled Device）イメージセンサなどの撮像素子２２を有している。撮像素子２２は、後述するレンズユニット３０の光学系の結像点に配置されており、Ｘ方向にレンズユニット３０と対向する像面２２Ａを有している。像面２２Ａは、Ｘ−Ｙ面に沿って配置された面である。なお、以後の説明では、Ｚ方向における物体側を＋Ｚ側と称し、像面側を−Ｚ側と称する。
【００３９】
また、撮像モジュール２０は、レンズユニット３０に取り付けられた図示しないホルダに支持されている。さらに、撮像モジュール２０は、レンズユニット３０を通して到達した光を電気信号に変換する。変換された電気信号は、画像データであるアナログデータやデジタルデータに変換される。
【００４０】
〔レンズユニット〕
レンズユニット３０は、一例として、レンズ群３２と、間隔環３４、３６、３８と、シール材４２と、鏡筒４４とを有している。レンズ群３２、間隔環３４、３６、３８及びシール材４２は、鏡筒４４の内側に収容されている。
【００４１】
＜レンズ群＞
レンズ群３２は、一例として、＋Ｚ側から順に配置された、第１レンズ５２と、第２レンズ５６と、第３レンズ５７と、第４レンズ５８と、第５レンズ５９とを有している。なお、第１レンズ５２は、レンズの一例である。
【００４２】
図２に示す第１レンズ５２は、ガラス製となっている。また、第１レンズ５２は、一例として、第１円形部５３と第２円形部５４とがＺ方向に並んで一体化されている。第２円形部５４は、第１円形部５３よりも＋Ｚ側に配置されている。第１円形部５３の光軸位置と第２円形部５４の光軸位置とは、Ｚ方向に見て同じ位置にある。
【００４３】
（第１円形部）
第１円形部５３は、Ｚ方向に見た直径が第１直径Ｄ１となっている。第１円形部５３における第１直径Ｄ１となる部位は、Ｚ方向に見て円形の側面５３Ａを有している。側面５３ＡにおけるＺ方向の−Ｚ側の端部は、面取りされている。また、第１円形部５３は、−Ｚ側の端面であり光が出射する出射面５３Ｂを有している。
【００４４】
（第２円形部）
第２円形部５４は、Ｚ方向に見た直径が第２直径Ｄ２となっている。第２直径Ｄ２は、第１直径Ｄ１よりも大きい。第２円形部５４における第２直径Ｄ２となる部位は、Ｚ方向に見て円形の側面５４Ａを有している。また、第２円形部５４は、側面５４Ａよりも＋Ｚ側の周縁に形成され後述する熱カシメによって鏡筒４４により押え付けられる被押付面５４Ｂを有している。さらに、第２円形部５４は、＋Ｚ側の端面であり光が入射する入射面５４Ｃを有している。なお、Ｚ方向における側面５４Ａの−Ｚ側の端部は、面取りされている。
【００４５】
第１直径Ｄ１と第２直径Ｄ２が異なる大きさであることにより、第１円形部５３と第２円形部５４との境界には段差５５が形成されている。Ｙ方向における段差５５の長さｄは、周方向の各部でｄ＝（Ｄ２−Ｄ１）／２となる。
【００４６】
図１に示す第２レンズ５６は、ガラス製となっている。また、第２レンズ５６は、Ｚ方向に見て円形の側面５６Ａを有している。さらに、第２レンズ５６は、＋Ｚ側から入射された光を−Ｚ側に出射させる。第３レンズ５７は、＋Ｚ側及び−Ｚ側に光学面（入射面及び出射面）を有するレンズ部５７Ａと、レンズ部５７Ａの周囲に広がる周縁部５７Ｂとを有している。
【００４７】
第４レンズ５８は、＋Ｚ側及び−Ｚ側に光学面（入射面及び出射面）を有するレンズ部５８Ａと、レンズ部５８Ａの周囲に広がる周縁部５８Ｂとを有している。なお、第３レンズ５７の周縁部５７Ｂと第４レンズ５８の周縁部５８Ｂとが接触している。第５レンズ５９は、＋Ｚ側及び−Ｚ側に光学面（入射面及び出射面）を有するレンズ部５９Ａと、レンズ部５９Ａの周囲に広がる周縁部５９Ｂとを有している。
【００４８】
＜間隔環＞
間隔環３４は、Ｚ方向に見て環状の部材であり、Ｚ方向における＋Ｚ側の端面が第１レンズ５２の第１円形部５３と接触し、−Ｚ側の端面が第２レンズ５６と接触している。つまり、間隔環３４は、第１レンズ５２と第２レンズ５６とのＺ方向の間隔を決めている。
【００４９】
間隔環３６は、Ｚ方向に見て環状の部材であり、Ｚ方向における＋Ｚ側の端面が第２レンズ５６と接触し、−Ｚ側の端面が第３レンズ５７と接触することで、第２レンズ５６と第３レンズ５７とのＺ方向の間隔を決めている。間隔環３８は、Ｚ方向に見て環状の部材であり、Ｚ方向における＋Ｚ側の端面が第４レンズ５８と接触し、−Ｚ側の端面が第５レンズ５９と接触することで、第４レンズ５８と第５レンズ５９とのＺ方向の間隔を決めている。
【００５０】
＜シール材＞
図２に示すシール材４２は、一例として、ゴム製でありＺ方向に見て環状に形成されたＯリング部材とされている。また、シール材４２は、自由状態で、内径が第１レンズ５２の第１直径Ｄ１よりも小さくなっているため、第１レンズ５２の第１円形部５３に取り付けられた場合に、シール材４２の内周面が第１円形部５３の外周面である側面５３Ａと接触する。
【００５１】
さらに、シール材４２は、一例として、第１レンズ５２に取り付けていない状態において、周方向に対して直交する断面の形状が円形状となっている。そして、シール材４２の断面の直径は、既述の段差５５の長さｄよりも大きくなっている。シール材４２の断面の直径が長さｄよりも長いことにより、シール材４２は、第１レンズ５２の第１円形部５３の側面５３Ａと後述する第１内壁部４７とに接触して、第１レンズ５２と鏡筒４４との間を封止している。
【００５２】
＜鏡筒＞
図１に示す鏡筒４４は、筒状に形成されており、Ｚ方向を軸方向として配置されている。具体的には、鏡筒４４は、Ｚ方向に開口した筒部４４Ａと、筒部４４Ａの−Ｚ側を覆う底壁部４４Ｂとを有している。筒部４４Ａの＋Ｚ側の端部には、図示しない治具による熱カシメ後の状態において、Ｚ方向に見て円形の開口部４４Ｃが形成されている。底壁部４４Ｂには、Ｚ方向に貫通され開口部４４Ｃよりも内径が小さい開口部４４Ｄが形成されている。また、鏡筒４４における開口部４４Ｃから開口部４４Ｄまでの間には、レンズ群３２、間隔環３４、３６、３８及びシール材４２を収容する空間である収容部４６が形成されている。
【００５３】
収容部４６は、一例として、＋Ｚ側から−Ｚ側へ向けて順番に形成された第１収容部４６Ａ、第２収容部４６Ｂ、第３収容部４６Ｃ、第４収容部４６Ｄ、第５収容部４６Ｅ、第６収容部４６Ｆ、第７収容部４６Ｇ及び第８収容部４６Ｈを有している。
【００５４】
第１収容部４６Ａには、第１レンズ５２及びシール材４２が収容されている。第２収容部４６Ｂには、間隔環３４が収容されている。第３収容部４６Ｃには、第２レンズ５６が収容されている。第４収容部４６Ｄには、間隔環３６が収容されている。第５収容部４６Ｅには、第３レンズ５７が収容されている。第６収容部４６Ｆには、第４レンズ５８が収容されている。第７収容部４６Ｇには、間隔環３８が収容されている。第８収容部４６Ｈには、第５レンズ５９が収容されている。
【００５５】
第１収容部４６Ａの詳細については後述する。第２収容部４６Ｂの内壁、第４収容部４６Ｄの内壁及び第７収容部４６Ｇの内壁は、一例として、Ｚ方向に見てそれぞれ円形に形成されている。図示は省略するが、第２収容部４６Ｂの内径ｄａ、第４収容部４６Ｄの内径ｄｂ、第７収容部４６Ｇの内径ｄｃは、ｄａ＞ｄｂ＞ｄｃとなっている。
【００５６】
第３収容部４６Ｃの内壁、第５収容部４６Ｅの内壁、第６収容部４６Ｆの内壁、第８収容部４６Ｈの内壁は、一例として、Ｚ方向に見てそれぞれ正八角形状に形成されている。また、第３収容部４６Ｃの内側の空間、第５収容部４６Ｅの内側の空間、第６収容部４６Ｆの内側の空間、第８収容部４６Ｈの内側の空間は、順番に小さくされており、第８収容部４６Ｈの空間が最も小さい空間となっている。
【００５７】
図２に示す第１収容部４６Ａは、−Ｚ側に配置された第１内壁部４７と、第１内壁部４７よりも＋Ｚ側に配置された第２内壁部４８とを備えている。また、第１内壁部４７と第２内壁部４８は、Ｚ方向に並んでいる。Ｚ方向に見て、第１内壁部４７の中心位置と第２内壁部４８の中心位置とは、同じ位置にある。
【００５８】
（第１内壁部）
図３Ｂに示す第１内壁部４７は、Ｚ方向に見て円形とされており、Ｚ方向に延びる壁部である。なお、第１内壁部４７の内径をＤ３とする。
【００５９】
図２に示す第１収容部４６Ａに第１レンズ５２及びシール材４２を収容した状態において、第１内壁部４７は、径方向で第１円形部５３の側面５３Ａと対向する。第１内壁部４７の内径Ｄ３（図３Ｂ参照）の大きさは、既述の第１直径Ｄ１及び長さｄに対して、Ｄ１＜Ｄ３＜（Ｄ１＋２ｄ）となっている。つまり、第１収容部４６Ａに第１レンズ５２及びシール材４２を収容した状態において、第１内壁部４７は、第１円形部５３と共にシール材４２を挟むので、シール材４２が径方向に圧縮されている。
【００６０】
（第２内壁部）
図３Ａに示す第２内壁部４８は、一例として、Ｚ方向に見て、３つの円弧部４８Ａと３つの接触部４８Ｂとが第１レンズ５２（図２参照）の周方向に交互に並んだ形状とされている。
【００６１】
３つの円弧部４８Ａは、図示しない１つの仮想円上に配置されている。また、３つの円弧部４８Ａが配置される仮想円の直径Ｄ４は、既述の内径Ｄ３（図３Ｂ参照）よりも大きくなっている。
【００６２】
３つの接触部４８Ｂは、一例として、Ｚ方向に見て、第１レンズ５２（図２参照）の周方向に中心角で１２０〔°〕のピッチをあけて形成されている。また、３つの接触部４８Ｂは、円弧部４８Ａよりも光軸Ｋ側にそれぞれ同じ長さで突出されている。さらに、３つの接触部４８Ｂの光軸Ｋ側の先端には、それぞれ接触面４９が形成されている。３つの接触面４９は、曲面の一例であり、Ｚ方向に見て、第２円形部５４の側面５４Ａ（図２参照）の形状に合わせて径方向外側に窪んだ曲面とされている。また、３つの接触面４９は、第２円形部５４の側面５４Ａ（図２参照）の一部と接触する。
【００６３】
図２に示す第１収容部４６Ａに第１レンズ５２及びシール材４２を収容した状態において、第２内壁部４８は、径方向で第２円形部５４の外周面と対向又は接触する。第２内壁部４８における開口部４４Ｃの周縁部は、一例として、第２内壁部４８における第１内壁部４７側の部位よりも薄肉とされており、熱カシメにより光軸Ｋ側に向けて屈曲される熱カシメ部４４Ｅとされている。
【００６４】
＜レンズユニットの組み立て＞
図１に示すレンズユニット３０の組み立てでは、鏡筒４４の収容部４６内に、底壁部４４Ｂ側から順に、第５レンズ５９、間隔環３８、第４レンズ５８、第３レンズ５７、間隔環３６、第２レンズ５６、間隔環３４が嵌合され、Ｚ方向に重ねられる。続いて、第１円形部５３の外周面にシール材４２が取り付けられた状態で、第１レンズ５２が第１円形部５３側から第１収容部４６Ａ内に挿入される。
【００６５】
第１円形部５３が第１内壁部４７と対向する位置まで挿入された場合に、シール材４２が径方向に圧縮され、シール材４２の反発力が第１円形部５３及び第１内壁部４７に作用する。つまり、シール材４２によって、第１円形部５３の側面５３Ａと第１内壁部４７との隙間が密閉される。さらに、第２円形部５４の側面５４Ａの周方向の３箇所と、３つの接触面４９とが接触する。３つの接触面４９と第２円形部５４との接触状態は、多点の嵌合状態である。
【００６６】
鏡筒４４の熱カシメ部４４Ｅは、第１レンズ５２が第１収容部４６Ａ内に収容された後で、図示しない治具により熱カシメされることにより、光軸Ｋ側に屈曲され、第１レンズ５２の被押付面５４Ｂが熱カシメ部４４Ｅにより−Ｚ側へ押し付けられる。つまり、熱カシメ部４４Ｅにより、第１レンズ５２、間隔環３４、第２レンズ５６、間隔環３６、第３レンズ５７、第４レンズ５８、間隔環３８、第５レンズ５９が、鏡筒４４の収容部４６内に固定される。レンズユニット３０が組み立てられた状態では、レンズ群３２の光軸Ｋが鏡筒４４の筒部４４Ａの中心軸と一致している。
【００６７】
〔作用〕
次に、第１実施形態のレンズユニット３０の作用について説明する。
【００６８】
図２に示すレンズユニット３０では、第１円形部５３の側面５３Ａと鏡筒４４の第１内壁部４７とでシール材４２が挟まれている。第１内壁部４７はＺ方向に見て円形であるため、環状のシール材４２が第１内壁部４７に接触した場合に、シール材４２と多角形の内壁部とが接触した場合に比べて、シール材４２と第１内壁部４７との間に隙間が形成され難い。つまり、鏡筒４４内のシール性を確保することができる。なお、シール性とは、鏡筒４４内への気体及び液体の流入を抑制する性能を意味する。
【００６９】
さらに、レンズユニット３０では、第１レンズ５２とシール材４２とを合わせて鏡筒４４の収容部４６に挿入する場合に、シール材４２の反発力に起因して、シール材４２と第１内壁部４７との接触部位に摩擦力が生じる。
【００７０】
一方、鏡筒４４の第２内壁部４８には、第１レンズ５２の周方向に間隔をあけて３箇所の接触部４８Ｂが形成されているため、第２円形部５４と第２内壁部４８との接触状態は、第１レンズ５２の周方向に間隔をあけた多点の嵌合状態となる。つまり、第２円形部５４と接触部４８Ｂとの接触面積が、第２円形部５４と第２内壁部４８の周方向全体とが接触した場合の接触面積よりも小さくなるので、鏡筒４４に第２円形部５４を収容し易い。レンズユニット３０では、鏡筒４４に第２円形部５４を収容し易くなることにより、鏡筒４４の第２内壁部４８がＺ方向に見て内径Ｄ２の円形となっている構成に比べて、レンズユニット３０の組立性を向上させることができる。
【００７１】
さらに、接触部４８Ｂには、Ｚ方向に見て鏡筒４４の径方向の外側に窪み第２円形部５４の側面５４Ａと接触する接触面４９が形成されている。Ｚ方向に見て、接触部４８Ｂの接触面４９と第２円形部５４の側面５４Ａとが線接触するので、接触部４８Ｂと第２円形部５４とが点接触する構成に比べて、第２円形部５４が接触部４８Ｂから外れるのを抑制することができる。
【００７２】
また、レンズユニット３０では、第２円形部５４が第１円形部５３よりも物体側に配置され、第１レンズ５２と多点で嵌合する第２内壁部４８が、第２内壁部４８に比べて広い接触面積で接触する第１内壁部４７よりも＋Ｚ側に配置されている。つまり、接触面積の小さい部位が、接触面積の大きい部位よりも＋Ｚ側に配置されている。レンズユニット３０では、第２内壁部４８が、第１内壁部４７よりも＋Ｚ側に配置されることで、鏡筒４４に第１レンズ５２を収容した場合に、第２内壁部４８と第１レンズ５２との接触状態を鏡筒４４の＋Ｚ側から確認し易くなる。
【００７３】
さらに、レンズユニット３０では、接触部４８Ｂと第２円形部５４とが多点で嵌合するので、接触部４８Ｂの第２円形部５４と接触する部位の接触面積が、第２内壁部４８がＺ方向に見て円形の構成の接触面積に比べて小さくなる。接触部４８Ｂの接触面積が小さくなることにより、接触部４８Ｂの面精度を上げることができる。レンズユニット３０を車載用や監視用として用いると、高温に晒される場合があるが、第２内壁部４８が円形の構成に比べて接触部４８Ｂの面精度が上がっているので、鏡筒４４が高温により膨張しても、第１レンズ５２が傾き難い。第１レンズ５２が傾き難いため、レンズユニット３０の性能劣化を抑制することができる。
【００７４】
[第２実施形態]
次に、第２実施形態のレンズユニット７０について説明する。なお、第１実施形態と同一の構成については、第１実施形態と同一の符号を付して説明を省略する。
【００７５】
図４Ａ及び図４Ｂに示すレンズユニット７０は、レンズユニット３０（図１参照）において、鏡筒４４の第２内壁部４８（図３Ａ参照）を第２内壁部７２に置き換えた構成とされている。第２内壁部７２以外の構成は、レンズユニット３０と同一の構成とされている。
【００７６】
第２内壁部７２は、第１レンズ５２の第２円形部５４の外周面と対向している。また、第２内壁部７２は、Ｚ方向に見て、多角形状の一例として、正八角形状に形成されている。なお、本明細書における多角形状とは、多角形の形状だけでなく、多角形の角部がＣ面取り又はＲ面取りされた形状も含む。第２内壁部７２には、鏡筒４４をＺ方向に見て、正八角形の辺となる８つの平面７２Ａと、８つの曲面７２Ｂとが形成されている。また、第２内壁部７２には、熱カシメ部４４Ｅ（図２参照）が形成されている。
【００７７】
８つの平面７２Ａは、接触部の一例である。また、８つの平面７２Ａは、Ｚ方向に見て、それぞれ第２円形部５４の外周面を表す円の接線の１つと重なって配置されている。つまり、８つの平面７２Ａは、Ｚ方向に見て、それぞれ第２円形部５４の外周面の一部と点接触している。
【００７８】
８つの曲面７２Ｂは、第１レンズ５２の周方向において、それぞれ隣り合う２つの平面７２Ａを繋いでいる。また、８つの曲面７２Ｂは、Ｚ方向に見て、図示しない１つの仮想円上に配置されている。８つの曲面７２Ｂが配置される仮想円の直径は、既述の内径Ｄ３（図３Ｂ参照）よりも大きくなっている。
【００７９】
〔作用〕
次に、第２実施形態のレンズユニット７０の作用について説明する。
【００８０】
レンズユニット７０では、第２内壁部７２がＺ方向に見て正八角形状となっているため、第２円形部５４と、第２内壁部７２のそれぞれの平面７２Ａとの接触が、Ｚ方向に見て多点接触となる。第２円形部５４とそれぞれの平面７２Ａとの接触が点接触となることで、Ｚ方向に見て第２円形部５４と接触部が周方向に線接触する構成に比べて、第２円形部５４と平面７２Ａとの接触面積が小さくなるので、第２円形部５４と平面７２Ａとの摩擦力が小さくなる。つまり、レンズユニット７０では、Ｚ方向に見て第２円形部５４と接触部が線接触する構成に比べて、レンズユニット７０の組立性を向上させることができる。
【００８１】
また、レンズユニット７０では、２つの平面７２Ａを曲面７２Ｂが繋いでいる。レンズユニット７０では、外力が作用した場合に、周方向で隣り合う２つの平面７２Ａを直接、繋ぐ構成に比べて、２つの平面７２Ａを繋ぐ部位に応力が集中し難くなるので、鏡筒４４の一部への応力集中を抑制することができる。
【００８２】
[第３実施形態]
次に、第３実施形態のレンズユニット８０について説明する。なお、第１実施形態及び第２実施形態と同一の構成については、同一の符号を付して説明を省略する。
【００８３】
図５及び図６に示すレンズユニット８０は、レンズユニット３０（図１参照）において、鏡筒４４の第１内壁部４７（図２参照）を第１内壁部８２に置き換え、第２内壁部４８（図２参照）を第２内壁部８４に置き換えた構成とされている。第１内壁部８２及び第２内壁部８４以外の構成は、レンズユニット３０と同一の構成とされている。
【００８４】
第１内壁部８２は、Ｚ方向に見て第２内壁部８４よりも光軸Ｋ側に張り出され、円形に形成されている。つまり、レンズユニット８０では、Ｚ方向に見て、第１内壁部８２の内径が、第２内壁部８４の図示しない内接円の直径よりも小さくなっている。そして、シール材４２は、Ｚ方向と直交する方向に第１円形部５３と第１内壁部８２とに挟まれている。なお、第１内壁部８２のＺ方向と直交する方向において、第２内壁部８４から光軸Ｋ側に張り出された長さＬ１は、既述の長さｄ（図２参照）よりも短くなっている。
【００８５】
図７に示す第２内壁部８４は、一例として、Ｚ方向に見て、正八角形に形成されている。つまり、第２内壁部８４は、正八角形の辺となる８つの平面７２Ａを有している。なお、平面７２Ａは、Ｚ方向に見て、第２円形部５４と点接触している。
【００８６】
〔作用〕
次に、第３実施形態のレンズユニット８０の作用について説明する。
【００８７】
レンズユニット８０に対する比較例として、Ｚ方向に見て第１内壁部の内径と第２内壁部の内径とが同じ大きさのレンズユニットでは、第１レンズ５２を鏡筒に収容する場合に、シール材４２が第２内壁部に引っ掛かる可能性がある。
【００８８】
一方、図５に示すレンズユニット８０では、Ｚ方向に見て、第１内壁部８２の内径が第２内壁部８４の図示しない内接円の直径よりも小さくなっている。言い換えると、第２内壁部８４の内側の空間の方が、第１内壁部８２の内側の空間よりも広くなっているので、第１レンズ５２及びシール材４２を鏡筒４４に収容する場合に、シール材４２が第２内壁部８４に引っ掛かるのを抑制することができる。
【００８９】
[第４実施形態]
次に、第４実施形態のレンズユニット９０について説明する。なお、第１実施形態から第３実施形態までと同一の構成については、同一の符号を付して説明を省略する。
【００９０】
図８に示すレンズユニット９０は、レンズユニット８０（図５参照）において、鏡筒４４の第２内壁部８４（図５参照）を第２内壁部９２に置き換えた構成とされている。第２内壁部９２以外の構成は、レンズユニット８０と同一の構成とされている。
【００９１】
図９に示す第２内壁部９２は、熱カシメ部４４Ｅと、熱カシメ部４４Ｅよりも−Ｚ側にあり第２円形部５４と多点で嵌合する平面７２Ａと、Ｚ方向における熱カシメ部４４Ｅと平面７２Ａとの間にある傾斜面９４とを有している。つまり、傾斜面９４は、Ｚ方向における第２内壁部９２の平面７２Ａに対する＋Ｚ側に形成されている。なお、平面７２Ａは、第１レンズ５２の周方向で８つ形成されている。
【００９２】
傾斜面９４は、Ｚ方向に見て、鏡筒４４に円環状に形成されている。さらに、傾斜面９４は、＋Ｚ側の部位が−Ｚ側の部位よりも光軸Ｋ（鏡筒４４の中心軸）から遠くなる傾斜とされている。つまり、傾斜面９４の＋Ｚ側では、−Ｚ側に比べて第１レンズ５２が挿入される空間が広げられている。
【００９３】
〔作用〕
次に、第４実施形態のレンズユニット９０の作用について説明する。
【００９４】
レンズユニット９０では、一例として、鏡筒４４の図示しない中心軸に対して第１レンズ５２の光軸Ｋの位置がずれた状態で鏡筒４４に第１レンズ５２を挿入する場合に、第１レンズ５２の第２円形部５４の面取りされた部位が傾斜面９４と接触する。そして、第１レンズ５２は、傾斜面９４に案内されることで、光軸Ｋが鏡筒４４の図示しない中心軸に近づき、第２円形部５４が平面７２Ａと接触する。つまり、第２円形部５４が傾斜面９４に案内されるので、傾斜面９４が無い構成に比べて、鏡筒４４に第１レンズ５２を嵌める作業を簡単に行うことができる。
【００９５】
[第５実施形態]
次に、第５実施形態のレンズユニット１００について説明する。なお、第１実施形態から第４実施形態までと同一の構成については、同一の符号を付して説明を省略する。
【００９６】
図１０に示すレンズユニット１００は、レンズユニット８０（図５参照）において、第１レンズ５２（図５参照）を第１レンズ１０２に置き換えた構成とされている。第１レンズ１０２以外の構成は、レンズユニット８０と同一の構成とされている。
【００９７】
第１レンズ１０２は、ガラス製であり、第１円形部５３と、第２円形部５４と、第３円形部１０４とを有している。第２円形部５４は第１円形部５３よりも＋Ｚ側に形成され、第３円形部１０４は第１円形部５３よりも−Ｚ側に形成されている。レンズユニット１００では、Ｚ方向における第１円形部５３の長さと第３円形部１０４の長さとを合わせた長さが、レンズユニット８０（図５参照）のＺ方向における第１円形部５３（図５参照）の長さと同じになっている。
【００９８】
第３円形部１０４は、Ｚ方向に見て、最外周の直径である第３直径Ｄ５を有している。第３直径Ｄ５は、第１直径Ｄ１（図２参照）よりも大きく第２直径Ｄ２（図２参照）よりも小さい。また、第３円形部１０４の外周面となる側面１０４Ａは、第１内壁部８２におけるシール材４２が接触しない部位と嵌合する。なお、シール材４２は、第１円形部５３と、第２円形部５４と、第３円形部１０４と、第１内壁部８２とで囲まれた空間内に配置されている。
【００９９】
〔作用〕
次に、第５実施形態のレンズユニット１００の作用について説明する。
【０１００】
レンズユニット１００では、第１円形部５３とシール材４２との接触部位に、さらに第１内壁部８２と第３円形部１０４との嵌合部位が加わるので、第３円形部１０４が無い構成に比べて、第１レンズ１０２の光軸Ｋの傾きを抑制することができる。
【０１０１】
[第６実施形態]
次に、第６実施形態のレンズユニット１１０について説明する。なお、第１実施形態から第５実施形態までと同一の構成については、同一の符号を付して説明を省略する。
【０１０２】
図１１に示すレンズユニット１１０は、レンズユニット１００（図１０参照）において、第１レンズ１０２（図１０参照）を第１レンズ１１２に置き換えた構成とされている。また、レンズユニット１１０の第２内壁部８４には、Ｚ方向における熱カシメ部４４Ｅと平面７２Ａとの間に傾斜面９４が形成されている。さらに、隣り合う平面７２Ａは、曲面７２Ｂ（図４Ｂ参照）により繋がれている。なお、レンズユニット１１０において、第１レンズ１１２、傾斜面９４、曲面７２Ｂ以外の構成は、レンズユニット１００と同一の構成とされている。
【０１０３】
第１レンズ１１２は、第１レンズ１０２（図１０参照）において、第１円形部５３と第３円形部１０４とを入れ換え、第３円形部１０４の−Ｚ側の面取り部位を無くした構成とされている。第３円形部１０４は、第１円形部５３よりも＋Ｚ側で第２円形部５４よりも−Ｚ側に形成されている。
【０１０４】
〔作用〕
次に、第６実施形態のレンズユニット１１０の作用について説明する。
【０１０５】
レンズユニット１１０では、第３円形部１０４のＺ方向の端面と第１円形部５３の外周面とで段差１０６が形成される。そして、鏡筒４４に第１レンズ１１２を組み付けた場合に、シール材４２が段差１０６に接触してＺ方向の−Ｚ側に押されるので、鏡筒４４に第１レンズ１１２を嵌める場合に、第１レンズ１１２に対してシール材４２がＺ方向にずれるのを抑制できる。
【０１０６】
[第７実施形態]
次に、第７実施形態のレンズユニット１２０について説明する。なお、第１実施形態から第６実施形態までと同一の構成については、同一の符号を付して説明を省略する。
【０１０７】
図１２に示すレンズユニット１２０は、レンズユニット７０（図４Ａ参照）において、第１レンズ５２（図４Ａ参照）を第１レンズ１２２に置き換えた構成とされている。さらに、レンズユニット１１０は、鏡筒４４の第１内壁部４７（図２参照）及び第２内壁部７２（図４Ａ参照）を、第１内壁部１２４及び第２内壁部１２６に置き換えて、第１内壁部１２４を第２内壁部１２６よりも＋Ｚ側に配置した構成とされている。なお、第１レンズ１２２、第１内壁部１２４、第２内壁部１２６以外の構成は、レンズユニット７０と同一の構成とされている。
【０１０８】
第１レンズ１２２は、ガラス製となっている。また、第１レンズ１２２は、一例として、第１円形部１２２Ａと第２円形部１２２ＢとがＺ方向に並んで一体化されている。第１円形部１２２Ａは、Ｚ方向に見て、最外周の直径である第１直径Ｄ１を有している。また、第１円形部１２２Ａは、光が入射する入射面１２２Ｃを有している。
【０１０９】
第２円形部１２２Ｂは、第１円形部１２２Ａよりも−Ｚ側に配置されている。また、第２円形部１２２Ｂは、Ｚ方向に見て、最外周の直径である第２直径Ｄ２を有している。第２直径Ｄ２は、第１直径Ｄ１よりも大きい。第１直径Ｄ１と第２直径Ｄ２が異なることにより、第１円形部１２２Ａと第２円形部１２２Ｂとの境界には、段差１２３が形成されている。
【０１１０】
第２円形部１２２ＢのＺ方向の長さは、第１円形部１２２ＡのＺ方向の長さよりも長くなっている。なお、第１円形部１２２Ａの中心位置と第２円形部１２２Ｂの中心位置は、Ｚ方向に見て同じ位置にある。
【０１１１】
第１内壁部１２４は、Ｚ方向に見て、円形に形成されている。また、第１内壁部１２４は、Ｚ方向と直交する方向において、第１円形部１２２Ａと対向している。さらに、第１内壁部１２４における開口部４４Ｃの周縁部は、熱カシメにより光軸Ｋ側に向けて屈曲される熱カシメ部４４Ｅとされている。そして、シール材４２は、第１円形部１２２Ａと第１内壁部１２４とに挟まれている。
【０１１２】
第２内壁部１２６は、一例として、Ｚ方向に見て、正八角形状に形成されている。第２内壁部１２６のＺ方向の長さは、第２円形部１２２ＢのＺ方向の長さと同じになっている。第２円形部１２２Ｂは、Ｚ方向に見て、第２内壁部１２６の正八角形の辺を構成するそれぞれの平面１２６Ａと点接触している。平面１２６Ａは、接触部の一例である。なお、Ｚ方向に見て隣り合う平面１２６Ａは、曲面７２Ｂ（図４Ｂ参照）により繋がれている。
【０１１３】
〔作用〕
次に、第７実施形態のレンズユニット１２０の作用について説明する。
【０１１４】
レンズユニット１２０では、第１内壁部１２４がＺ方向に見て円形であるため、シール材４２が第１内壁部１２４に接触した場合に、シール材４２と多角形の内壁部とが接触した場合に比べて、シール材４２と第１内壁部１２４との間に隙間が形成され難い。つまり、鏡筒４４内のシール性を確保することができる。
【０１１５】
また、レンズユニット１２０では、第２内壁部１２６がＺ方向に見て八角形状となっているため、第２円形部１２２Ｂと第２内壁部１２６との接触が、Ｚ方向に見て点接触となる。第２円形部１２２Ｂと第２内壁部１２６とが点接触となることで、第２円形部１２２Ｂと第２内壁部とが線接触する構成に比べて、第２円形部１２２Ｂと第２内壁部１２６との接触面積が小さくなり、第２円形部１２２Ｂと第２内壁部１２６との摩擦力が小さくなる。つまり、レンズユニット１２０では、Ｚ方向に見て第２円形部１２２Ｂと第２内壁部とが線接触する構成に比べて、レンズユニット１２０の組立性を向上させることができる。
【０１１６】
さらに、レンズユニット１２０では、第１円形部１２２Ａが第２円形部１２２Ｂよりも＋Ｚ側に配置されている。つまり、段差１２３が鏡筒４４内の最も＋Ｚ側に配置されることで、シール材４２が鏡筒４４内の最も＋Ｚ側に配置されるので、シール材４２が第１内壁部１２４と第１円形部１２２Ａとの隙間に嵌まっているかどうかを鏡筒４４の外側から簡単に確認できる。
【０１１７】
[第８実施形態]
次に、第８実施形態のレンズユニット１３０について説明する。なお、第１実施形態から第７実施形態までと同一の構成については、同一の符号を付して説明を省略する。
【０１１８】
図１３に示すレンズユニット１３０は、レンズユニット１２０（図１２参照）において、第１レンズ１２２（図１２参照）を第１レンズ１３２に置き換えた構成とされている。さらに、レンズユニット１３０は、鏡筒４４の第１内壁部１２４（図１２参照）及び第２内壁部１２６（図１２参照）を、第１内壁部１３４及び第２内壁部１３６に置き換えた構成とされている。なお、第１レンズ１３２、第１内壁部１３４、第２内壁部１３６以外の構成は、レンズユニット１２０と同一の構成とされている。
【０１１９】
第１レンズ１３２は、ガラス製であり、第１円形部１３２Ａと、第２円形部１３２Ｂと、第３円形部１３２Ｃとを有している。第１円形部１３２Ａは最も＋Ｚ側に形成され、第３円形部１３２Ｃは第１円形部１３２Ａよりも−Ｚ側に形成され、第２円形部１３２Ｂは第３円形部１３２Ｃよりも−Ｚ側に形成されている。つまり、第３円形部１３２Ｃは、Ｚ方向における第１円形部１３２Ａと第２円形部１３２Ｂとの間に配置されている。第１円形部１３２Ａと第３円形部１３２Ｃとの境界には、段差１３３が形成されている。第１円形部１３２Ａの中心位置と、第２円形部１３２Ｂの中心位置と、第３円形部１３２Ｃの中心位置とは、Ｚ方向に見て同じ位置にある。
【０１２０】
第１円形部１３２Ａは、Ｚ方向に見て、最外周の直径である第１直径Ｄ１を有している。また、第１円形部１３２Ａには、光の入射面が形成されている。第２円形部１３２Ｂは、Ｚ方向に見て、最外周の直径である第２直径Ｄ２を有している。第３円形部１３２Ｃは、Ｚ方向に見て、最外周の直径である第２直径Ｄ２を有している。シール材４２は、第１円形部１３２Ａと、第３円形部１３２Ｃと、後述する第１内壁部１３４とで囲まれた空間内に配置されている。
【０１２１】
図１３では、第１円形部１３２Ａと第３円形部１３２Ｃとの境界となる仮想線を二点鎖線Ｂ１で示しており、第３円形部１３２Ｃと第２円形部１３２Ｂとの境界となる仮想線を二点鎖線Ｂ２で示している。第２円形部１３２Ｂと第３円形部１３２Ｃは、外観上は区別されていない。つまり、後述する第１内壁部１３４と接触する部位を第３円形部１３２Ｃとし、第２内壁部１３６と接触する部位を第２円形部１３２Ｂとしている。
【０１２２】
第１内壁部１３４は、Ｚ方向に見て、円形に形成されている。また、第１内壁部１３４は、Ｚ方向と直交する方向において、第１円形部１３２Ａの外周面と対向して、第３円形部１３２Ｃの外周面と接触している。言い換えると、第３円形部１３２Ｃは、第１内壁部１３４におけるシール材４２が接触しない部位と嵌合している。さらに、第１内壁部１３４における開口部４４Ｃの周縁部は、熱カシメにより光軸Ｋ側に向けて屈曲される熱カシメ部４４Ｅとされている。そして、シール材４２は、第１円形部１３２Ａと第１内壁部１３４とに挟まれている。
【０１２３】
第２内壁部１３６は、第１内壁部１３４よりも−Ｚ側に配置されている。第２内壁部１３６は、一例として、Ｚ方向に見て、八角形状に形成されている。第２内壁部１３６のＺ方向の長さは、第２円形部１３２ＢのＺ方向の長さと同じになっている。第２円形部１３２Ｂは、Ｚ方向に見て、第２内壁部１３６の八角形の辺を構成するそれぞれの平面１３６Ａと点接触している。平面１３６Ａは、接触部の一例である。なお、Ｚ方向に見て隣り合う平面１３６Ａは、曲面７２Ｂ（図４Ｂ参照）により繋がれている。
【０１２４】
〔作用〕
次に、第８実施形態のレンズユニット１３０の作用について説明する。
【０１２５】
レンズユニット１３０では、第１内壁部１３４がＺ方向に見て円形であるため、シール材４２が第１内壁部１３４に接触した場合に、シール材４２と多角形の内壁部とが接触した場合に比べて、シール材４２と第１内壁部１３４との間に隙間が形成され難い。つまり、鏡筒４４内のシール性を確保することができる。
【０１２６】
また、レンズユニット１３０では、第２内壁部１３６がＺ方向に見て八角形状となっているため、第２円形部１３２Ｂと第２内壁部１３６との接触が、Ｚ方向に見て点接触となる。第２円形部１３２Ｂと第２内壁部１３６とが点接触となることで、第２円形部１３２Ｂと第２内壁部とが線接触する構成に比べて、第２円形部１３２Ｂと第２内壁部１３６との接触面積が小さくなる。そして、第２円形部１３２Ｂと第２内壁部１３６との摩擦力が小さくなる。つまり、レンズユニット１３０では、Ｚ方向に見て第２円形部１３２Ｂと第２内壁部とが線接触する構成に比べて、レンズユニット１３０の組立性を向上させることができる。
【０１２７】
さらに、レンズユニット１３０では、第１円形部１３２Ａが第２円形部１３２Ｂよりも＋Ｚ側に配置される。つまり、段差１３３が鏡筒４４内の最も＋Ｚ側に配置されることで、シール材４２が鏡筒４４内の最も＋Ｚ側に配置されるので、シール材４２が第１内壁部１３４と第１円形部１３２Ａとの隙間に嵌まっているかどうかを鏡筒４４の外側から簡単に確認できる。
【０１２８】
加えて、レンズユニット１３０では、シール材４２と第１内壁部１３４との接触部位及び第２円形部１３２Ｂと第２内壁部１３６との接触部位に、第１内壁部１３４と第３円形部１３２Ｃとの接触部位である嵌合部位が加わる。第１内壁部１３４と第３円形部１３２Ｃとの嵌合部位が加わることで、第１内壁部１３４及び第３円形部１３２Ｃが無い構成に比べて、鏡筒４４と第１レンズ１３２との接触面積が大きくなるので、第１レンズ１３２の光軸Ｋの傾きを抑制することができる。
【０１２９】
また、レンズユニット１３０では、第３円形部１３２Ｃが第１円形部１３２Ａよりも−Ｚ側に配置されるので、Ｚ方向に見て、第３円形部１３２Ｃによってシール材４２が覆われなくなる。第３円形部１３２Ｃによってシール材４２が覆われないことにより、シール材４２を視認し易くなる。
【０１３０】
[第９実施形態]
次に、第９実施形態のレンズユニット１４０について説明する。なお、第１実施形態から第８実施形態までと同一の構成については、同一の符号を付して説明を省略する。
【０１３１】
図１４に示すレンズユニット１４０は、レンズユニット１３０（図１３参照）において、第１レンズ１３２（図１３参照）を第１レンズ１４２に置き換えた構成とされている。第１レンズ１４２以外の構成は、レンズユニット１３０と同一の構成とされている。
【０１３２】
第１レンズ１４２は、第１レンズ１３２（図１３参照）において、第３円形部１３２Ｃが第１円形部１３２Ａよりも＋Ｚ側に配置された構成とされている。第２円形部１３２Ｂの位置は変わらない。つまり、第１レンズ１４２は、第３円形部１３２Ｃに光の入射面が形成されている。また、熱カシメ部４４Ｅは、第３円形部１３２Ｃの周縁部と接触している。
【０１３３】
〔作用〕
次に、第９実施形態のレンズユニット１４０の作用について説明する。
【０１３４】
レンズユニット１４０では、第３円形部１３２Ｃの−Ｚ側の端面と第１円形部１３２Ａの外周面とで段差１３３が形成される。そして、鏡筒４４に第１レンズ１４２を組み付けた場合に、シール材４２が段差１３３に接触して−Ｚ側に押されるので、鏡筒４４に第１レンズ１４２を嵌める場合にシール材４２が第１レンズ１４２に対してＺ方向にずれるのを抑制できる。
【０１３５】
なお、本開示は上記の実施形態に限定されない。
【０１３６】
図１５Ａに示す鏡筒４４をＺ方向に見て、第２円形部５４の外周面と点接触する第２内壁部１５２の８つの面１５２Ａを、光軸Ｋに向けて突出する曲面で構成してもよい。なお、光軸Ｋに向けて突出する複数の曲面で構成された内壁の形状も多角形状に含める。面１５２Ａは、接触部の一例である。
【０１３７】
図１５Ｂに示す鏡筒４４をＺ方向に見て、第２円形部５４の外周面と接触する第２内壁部１５４を、第１レンズ５２の径方向で対称に配置された３つ以上の複数の接触部１５６により構成してもよい。接触部１５６の光軸Ｋ側の先端には、それぞれ、曲面の一例としての接触面１５６Ａが形成されている。接触面１５６Ａは、第２円形部５４の外周面の形状に合わせて径方向外側に窪んだ曲面とされている。
【０１３８】
図１５Ｃに示す第２内壁部１５４において、接触面１５６Ａ（図１５Ｂ参照）を平面１５８としてもよい。
【０１３９】
接触部４８Ｂは、周方向で３箇所に限らず、４箇所以上の複数箇所に形成されていてもよい。
【０１４０】
レンズユニットの光学系は、５枚のレンズを有するレンズ群３２に限らず、１枚又は２枚以上の複数枚のレンズで構成されていてもよい。また、間隔環の数は、３つに限らず、１つ又は２つ以上の複数であってもよい。さらに、シール材４２の数は、１つに限らず、２つ以上の複数であってもよい。
【０１４１】
第１レンズ５２、第１レンズ１０２、第１レンズ１１２、第１レンズ１２２、第１レンズ１３２、第１レンズ１４２は、樹脂製であってもよい。第２レンズ５６は、樹脂製であってもよい。第３レンズ５７、第４レンズ５８、第５レンズ５９は、ガラス製であってもよい。
【０１４２】
レンズユニットには、レンズ及び間隔環の他に、絞り部材や遮光板を設けてもよい。
【０１４３】
レンズユニット１１０において、鏡筒４４に曲面７２Ｂを形成してもよい。また、レンズユニット１１０において、第２内壁部８４に換えて第２内壁部４８を形成して、接触面４９と第２円形部５４の側面５４Ａとを嵌合させてもよい。
【０１４４】
レンズユニット１３０において、第２内壁部１３６に換えて第２内壁部４８を形成して、接触面４９と第２円形部５４の側面５４Ａとを嵌合させてもよい。
【０１４５】
鏡筒４４又は間隔環３４、３６、３８は、一例として、ガラス繊維と無機フィラーを含有するポリフェニレンスルファイドで構成されてもよい。鏡筒４４又は間隔環３４、３６、３８は、ガラス繊維等を含有する繊維強化プラスチック製とすることにより、より機械的強度が高くなる。使用する樹脂としては、例えば、ポリアミド、ポリアセタール、ポリカーボネート、ポリフェニレンエーテル、ポリブチレンテレフタレート、ポリエチレンテレフタレート、ポリエチレン、シンジオタクチックポリスチレン、ポリサルホン、ポリエーテルサルホン、ポリフェニレンスルファイド、ポリアリレート、ポリアミドイミド、ポリエーテルイミド、ポリエーテルエーテルケトン、アクリロニトリルブダジエンスチレン、ポリオレフィン及び各々の変性ポリマーからなる群より選択される少なくとも一種、又は当該群から選択される少なくとも一種を含むポリマーアロイなどを用いることができる。繊維としては、ガラス繊維や炭素繊維、繊維強化プラスチック、無機フィラー等を用いることができる。
【０１４６】
また、繊維強化プラスチック等、上記の樹脂材料には、必要に応じてガラス繊維、炭素繊維、無機フィラー等を含有させてもよい。ガラス繊維等を含有する繊維強化プラスチック製の鏡筒又は間隔環とすることにより、より機械的強度の高い鏡筒又は間隔環を得ることができる。
【０１４７】
なお、鏡筒は、高い遮光性及び光吸収性が要求される。使用する樹脂は黒色であることが好ましく、上記の樹脂材料は黒色顔料又は黒色染料を含むことが好ましい。黒色顔料又は黒色染料を含む樹脂材料により鏡筒を構成することにより、鏡筒の内壁面を黒色とすることができ、鏡筒の内壁面における可視光の反射をより有効に抑制することができる。
【図１】
2017169644.tif 000003
【図２】
2017169644.tif 000004
【図３Ａ】
2017169644.tif 000005
【図３Ｂ】
2017169644.tif 000006
【図４Ａ】
2017169644.tif 000007
【図４Ｂ】
2017169644.tif 000008
【図５】
2017169644.tif 000009
【図６】
2017169644.tif 000010
【図７】
2017169644.tif 000011
【図８】
2017169644.tif 000012
【図９】
2017169644.tif 000013
【図１０】
2017169644.tif 000014
【図１１】
2017169644.tif 000015
【図１２】
2017169644.tif 000016
【図１３】
2017169644.tif 000017
【図１４】
2017169644.tif 000018
【図１５Ａ】
2017169644.tif 000019
【図１５Ｂ】
2017169644.tif 000020
【図１５Ｃ】
2017169644.tif 000021
【手続補正書】
【提出日】平成30年9月4日(2018.9.4)
【手続補正１】
【補正対象書類名】特許請求の範囲
【補正対象項目名】全文
【補正方法】変更
【補正の内容】
【特許請求の範囲】
【請求項１】
光軸方向に見て第１直径を有する第１円形部と、前記光軸方向に見て前記第１直径よりも大きい第２直径を有する第２円形部とが、前記光軸方向に並んだレンズと、
前記光軸方向に見て環状に形成され、内周面が前記第１円形部の外周面と接触するシール材と、
前記光軸方向に見て円形とされ前記第１円形部と共に前記シール材を挟む第１内壁部と、前記第２円形部の外周面と接触する接触部が前記レンズの周方向に間隔をあけて３箇所以上形成された第２内壁部と、を備えた鏡筒と、
を有するレンズユニット。
【請求項２】
前記第２内壁部は、前記光軸方向に見て多角形状に形成され、
前記接触部が前記多角形状の辺となる平面である請求項１に記載のレンズユニット。
【請求項３】
前記第２内壁部には、周方向に隣り合う前記平面を繋ぐ曲面が形成されている請求項２に記載のレンズユニット。
【請求項４】
前記接触部には、前記光軸方向に見て前記鏡筒の径方向外側に窪み前記第２円形部と線接触する曲面が形成されている請求項１に記載のレンズユニット。
【請求項５】
前記光軸方向において前記第２円形部が前記第１円形部よりも物体側に配置されている請求項１から４のいずれか１項に記載のレンズユニット。
【請求項６】
前記光軸方向における前記第２内壁部に対する物体側には、物体側が像面側よりも光軸から遠くなる傾斜とされた傾斜面が形成されている請求項５に記載のレンズユニット。
【請求項７】
前記第１内壁部は、前記光軸方向に見て前記第２内壁部よりも光軸側に張り出されている請求項１から請求項６のいずれか１項に記載のレンズユニット。
【請求項８】
前記第１内壁部には、前記シール材が接触しない部位でかつ前記レンズが嵌合する部位が形成され、
前記レンズには、前記第１内壁部と嵌合する第３円形部が形成されている請求項１から請求項７のいずれか１項に記載のレンズユニット。
【請求項９】
前記第３円形部は、前記光軸方向における前記第１円形部と前記第２円形部との間に配置されている請求項８に記載のレンズユニット。
【請求項１０】
前記光軸方向において前記第１円形部が前記第２円形部よりも物体側に配置されている請求項１から請求項４のいずれか１項に記載のレンズユニット。
【請求項１１】
前記レンズには、前記第１内壁部と嵌合する第３円形部が形成されている請求項１０に記載のレンズユニット。
【請求項１２】
前記第３円形部は、前記光軸方向における前記第１円形部と前記第２円形部との間に配置されている請求項１１に記載のレンズユニット。
【請求項１３】
請求項１から請求項１２のいずれか１項に記載のレンズユニットであって、車載用又は監視用のレンズユニット。
【国際調査報告】
2017169644.tif 000022
2017169644.tif 000023
2017169644.tif 000024
2017169644.tif 000025